(57)【要約】【課題】搬送作業が安定し、また大きな重量物の搬送を補助できる担架等重量物搬送補助器具を提供する。【解決手段】略横８の字形状を有するたすき状部分７によって重量支持を補助する。略横８の字形状の一部である中央の略Ｘ字状部分９のうち左右上２つの上肢部分１１に各々設けられる肩前係止具１５と、左右下２つの下肢部分１３に各々設けられる脇後係止具１７とに係止された吊下げベルト１９が担架等重量物を吊下げる。略Ｘ字状部分９の中央に設けられる中央背当パッド２１と、略Ｘ字状部分９を構成するパッドベルト２３とが、身体への接触を和らげる。略横８の字形状のうち略Ｘ字状部分９を除いた部分を構成する脇下調整ベルト２５が、略横８の字形状の２つの輪の大きさを調整でき、器具１がぴったりと搬送者３の身体にフィットする。【選択図】図２
2011255014.tif 000002
【特許請求の範囲】
【請求項１】
略横８の字形状を有するたすき状部分と、前記略横８の字形状の一部である中央の略Ｘ字状部分のうち左右上２つの上肢部分に各々設けられる肩前係止具と、前記略Ｘ字状部分のうち左右下２つの下肢部分に各々設けられる脇後係止具と、前記肩前係止具及び脇後係止具に係止されて担架等重量物を吊下げる吊下げベルトと、を有することを特徴とする担架等重量物搬送補助器具。
【請求項２】
前記略Ｘ字状部分の中央に設けられて身体への接触を和らげる中央背当パッドと、前記略Ｘ字状部分を構成して身体への接触を和らげるパッドベルトと、前記略横８の字形状のうち前記略Ｘ字状部分を除いた部分を構成して長さを調整できる脇下調整ベルトと、を有することを特徴とする請求項１に記載の担架等重量物搬送補助器具。
【請求項３】
前記肩前係止具は、前記上肢部分から分岐する肩前ベルトの先端に係止金具が設けられて構成され、前記脇後係止具は、前記下肢部分から一体的に延長される脇後ベルトの先端に係止金具が設けられて構成され、前記吊下げベルトは、前記肩前係止具及び脇後係止具に両端が係止されて、担架等重量物に形成されている係止孔を通り、よって前記略Ｘ字状部分の左右のそれぞれにおいてループ形状を完成し、これにより前記略横８の字形状と同心の大形略横８の字形状をなすことを特徴とする請求項１、または２に記載の担架等重量物搬送補助器具。
【発明の詳細な説明】
【技術分野】
【０００１】
この発明は、担架等の重量物を搬送者が搬送する際に、搬送が容易なように、搬送を補助する器具に関する。
【背景技術】
【０００２】
担架を搬送者が搬送する際には、通常は、搬送者が自身の二本の腕だけで担架の重量を支えるので、搬送作業は困難である。特に、救急の現場では、いろいろな特殊な環境で搬送作業を行なわなければならず、困難さは極まる。
下記特許文献１では、このような担架の搬送が容易なように、搬送を補助する器具が提案される。
【先行技術文献】
【特許文献】
【０００３】
【特許文献１】特開２００２−０９５７０１
【発明の概要】
【発明が解決しようとする課題】
【０００４】
しかしながら、上記特許文献１では、担架の重量を、搬送者の片方の肩から他方の腰まで斜めたすき状に配したベルトによって、支えるために、搬送作業が安定せず、また大きな重量を補助できない。
この発明は、以上の問題点を解決するために、搬送作業が安定し、また大きな重量を補助できる担架等重量物搬送補助器具を提供することを目的とする。
【課題を解決するための手段】
【０００５】
以上の課題を解決するために、第一発明は、略横８の字形状を有するたすき状部分と、前記略横８の字形状の一部である中央の略Ｘ字状部分のうち左右上２つの上肢部分に各々設けられる肩前係止具と、前記略Ｘ字状部分のうち左右下２つの下肢部分に各々設けられる脇後係止具と、前記肩前係止具及び脇後係止具に係止されて担架等重量物を吊下げる吊下げベルトと、を有することを特徴とする担架等重量物搬送補助器具である。
第二発明は、さらに、前記略Ｘ字状部分の中央に設けられて身体への接触を和らげる中央背当パッドと、前記略Ｘ字状部分を構成して身体への接触を和らげるパッドベルトと、前記略横８の字形状のうち前記略Ｘ字状部分を除いた部分を構成して長さを調整できる脇下調整ベルトと、を有することを特徴とする担架等重量物搬送補助器具である。
第三発明は、さらに、前記肩前係止具は、前記上肢部分から分岐する肩前ベルトの先端に係止金具が設けられて構成され、前記脇後係止具は、前記下肢部分から一体的に延長される脇後ベルトの先端に係止金具が設けられて構成され、前記吊下げベルトは、前記肩前係止具及び脇後係止具に両端が係止されて、担架等重量物に形成されている係止孔を通り、よって前記略Ｘ字状部分の左右のそれぞれにおいてループ形状を完成し、これにより前記略横８の字形状と同心の大形略横８の字形状をなすことを特徴とする担架等重量物搬送補助器具である。
【発明の効果】
【０００６】
第一、第二、又は第三発明によれば、略横８の字形状を有するたすき状部分によって重量支持を補助するので、上記特許文献１のような斜めたすき状に配したベルトによって重量支持を補助する場合に比べ、左右のバランスがとれ、搬送作業が安定する。また、併せて重量が両肩に均等にかかるので、大きな重量を補助できる。
【０００７】
さらに、略横８の字形状の一部である中央の略Ｘ字状部分のうち左右上２つの上肢部分に各々設けられる肩前係止具と、略Ｘ字状部分のうち左右下２つの下肢部分に各々設けられる脇後係止具とに係止されて担架等重量物を吊下げるので、両肩とも、肩の前後に分けて重量を支持するので、前後のバランスがとれ、搬送作業が安定し、身体に痛みを伴わずに大きな重量を補助できる。
【０００８】
第二、又は第三発明によれば、さらに、中央背当パッドやパッドベルトによって、器具の身体への接触を和らげることができ、より搬送作業が安定し大きな重量を補助できる。  また、脇下調整ベルトの長さを調整することで、器具の略横８の字形状がぴったりと身体にフィットし、より搬送作業が安定し大きな重量を補助できる。
【０００９】
第三発明によれば、さらに、肩前係止具は、上肢部分から分岐する肩前ベルトの先端に係止金具が設けられて構成されるので、搬送中に担架等重量物と搬送者との位置関係がずれても、肩前ベルトが首振りの動きをして、ずれを吸収する。よって、より搬送作業が安定する。
【００１０】
また、脇後係止具は、下肢部分から一体的に延長される脇後ベルトの先端に係止金具が設けられて構成されるので、下肢部分と脇後ベルトとを別体にする場合に比べ、器具の形状を単純化できる。
【００１１】
また、吊下げベルトは、肩前係止具及び脇後係止具に両端が係止されている。そして、その中央部は担架等重量物に形成されている係止孔を通る。よって前記略Ｘ字状部分の左右のそれぞれにおいてループ形状を完成する。これにより器具１本体の略横８の字形状と同心の大形略横８の字形状をなすことになる。また、係止孔に固定せず、係止孔を通るので、１本の構成にできる。よって、仮に肩前係止具及に係止される吊下げベルトと脇後係止具に係止される吊下げベルトとの２本の構成にする場合に比べ、器具の形状を単純化できる。
【００１２】
また、吊下げベルトは、担架等重量物に形成されている係止孔を通っていて、固定されていないので、搬送中に担架等重量物と搬送者との位置関係がずれても、係止孔を滑ることで、ずれを吸収する。
【図面の簡単な説明】
【００１３】
【図１】この発明の一実施形態にかかる担架等重量物搬送補助器具を後から見た図である。
【図２】図１の器具の上肢部分と脇下調整ベルトとを係止した状態で前から見た図である。
【図３】図１の器具を搬送者が身体に装着しようとしている状態を後から見た図である。
【図４】図３の装着を終えた状態の図である。
【図５】図４の装着を終え脇下調整ベルトの長さを短くして器具を身体にフィットさせている状態の図である。
【図６】（ａ）図５で器具を身体にフィットさせた後に、上肢部分と脇下調整ベルトとの係止を解除した状態を斜め前から見た図、（ｂ）図５で器具を身体にフィットさせた後に、吊下げベルトを係止した状態を斜め前から見た図である。
【図７】図６（ｂ）の吊下げベルトを担架の係止孔へ通す作業をしている状態を斜め前から見た図である。
【図８】図７の作業を終えた状態を斜め前から見た図である。
【図９】図８の作業を左右の吊下げベルトで終え、両吊下げベルトの長さを短く調整しているた状態を斜め前から見た図である。
【図１０】図９の調整を終え、搬送者が立ち上がって、器具により担架を吊下げている状態を斜め前から見た図である。
【発明を実施するための形態】
【００１４】
この発明の一実施形態にかかる担架等重量物搬送補助器具を、図１から図１０に示す。
この担架等重量物搬送補助器具１は、左右対称の形状を有し、たすきのように、搬送者３が両腕を通し、背負って装着する（図３，図４）。この実施形態では被搬送者Ｍを載せた担架５の搬送を行なう（図１０）ので、担架５の両端に２人の搬送者３が必要であり、よって２つの器具１が用いられる。
【００１５】
図１，図２に示すように、この器具１の中心的で重要な部分は、略横８の字形状を有するたすき状部分７（図２中の一点鎖線）である。この部分７に、搬送者３は、両腕を通す（図３、図４）。この略横８の字形状の一部である中央の部分は、略Ｘ字状部分９となっている。この略Ｘ字状部分９は、左右上２つの上肢部分１１と、左右下２つの下肢部分１３とを有する。
【００１６】
２つの上肢部分１１には、各々、搬送者３の肩部の前に位置するための肩前係止具１５が設けられる。２つの下肢部分１３には、各々、搬送者３の背中から脇の後へ位置するための脇後係止具１７が設けられる。そして、肩前係止具１５及び脇後係止具１７に係止される吊下げベルト１９が、担架５（図７〜図１０参照）等の重量物を吊下げる。
略Ｘ字状部分９の中央に、クッションの入った丸い中央背当パッド２１が設けられて、身体への接触を和らげる。また、略Ｘ字状部分９を、クッションの入ったパッドベルト２３によって構成し、身体への接触を和らげる。
【００１７】
略横８の字形状のうち略Ｘ字状部分９を除いた部分を、脇下調整ベルト２５が構成して、長さを調整する。
すなわち、脇下調整ベルト２５は、一端が下肢部分１３から分岐し、他端に差込みバックル２７と呼ばれる留め具の雄側２９が設けられる。他方、上肢部分１１の先端には、対応して、差込みバックル２７と呼ばれる留め具の雌側３１が設けられる。この差込みバックル２７により、器具１の装着が容易に行なわれる。装着を外すことも容易である（図６（ａ））。また、脇下調整ベルト２５は差込みバックル２７の雄側２９で容易に長さを調整できる（図５）。
【００１８】
肩前係止具１５は、上肢部分１１から分岐する肩前ベルト３３の先端に、Ｄカン３５と呼ばれる係止金具が設けられて構成される。
脇後係止具１７は、下肢部分１３から一体的に延長される脇後ベルト３７の先端に、Ｄカン３５と呼ばれる係止金具が設けられて構成される。
【００１９】
吊下げベルト１９は、略一本のベルト１９であり、肩前係止具及び脇後係止具１７のそれぞれＤカン３５と呼ばれる係止金具に対して、両端に設けられるナスカン３９と呼ばれる係止金具が、係止される（図２，図６（ｂ））。吊下げベルト１９は、略一本のベルト１９であるものの、途中には、移動カン４１と呼ばれる係止金具が設けられ長さが調節できる（図９）。
【００２０】
また、担架５に形成されている取手部分４３の閉形状部分４５を係止孔４７として、この係止孔４７を吊下げベルト１９が通る（図７、図８）。
よって略Ｘ字状部分９の左右のそれぞれにおいてループ形状４９を完成する。このループ形状４９の完成により、略横８の字形状と同心の大形略横８の字形状５１をなす。この大きなループの部分により、担架５を吊下げる（図１０）。
【００２１】
「使用方法」
この実施形態にかかる担架等重量物搬送補助器具１の装着・使用方法を説明する。
まず、図１に示す器具１を、図２に示すように、器具１の上肢部分１１と脇下調整ベルト２５とを差込みバックル２７によって係止した状態にして、略横８の字形状を有するたすき状部分７を作り、準備する。
【００２２】
そして、図３に示すように、略横８の字形状を有するたすき状部分７に、搬送者３は、両腕を通し、装着する（図４）。その後、図５のように、脇下調整ベルト２５の長さを短くして器具１を身体にフィットさせる。なお、一度、器具１を身体にフィットさせた後であっても、図６（ａ）に示すように、上肢部分１１と脇下調整ベルト２５との係止を差込みバックル２７によって解除することで、器具１の装着を簡単に外すことができ、また、再び上肢部分１１と脇下調整ベルト２５との係止を行なえば、器具１を身体にフィットさせる調整は無駄にならない。
【００２３】
その後に、図６（ｂ）に示すように、器具１に吊下げベルト１９を係止する。吊下げベルト１９を担架５の係止孔４７へ通して係止し吊下げを行なうときには、その前に、例えば地面に置かれた担架５の近くに搬送者３はしゃがみ、吊下げベルト１９の他方を担架５の係止孔４７へ通し（図７）、その後に、この他方の係止を行なう（図８）。図９に示すように、これらの作業を左右の吊下げベルト１９で終え、両吊下げベルト１９の長さを短く調整する。調整を終えた後に、図１０に示すように、２人の搬送者３は立ち上がり、器具１により担架５を吊下げ、被搬送者Ｍを搬送する。
【００２４】
「実施形態の効果」
この実施形態の器具１によれば、略横８の字形状を有するたすき状部分７によって担架５の被搬送者Ｍを含む重量の支持を補助する。このため、上記特許文献１のような斜めたすき状に配したベルト１９によって重量支持を補助する場合に比べ、左右のバランスがとれ、搬送作業が安定する。また、併せて被搬送者Ｍの重量が両肩に均等にかかるので、大きな重量を補助できる。
【００２５】
さらに、略横８の字形状の一部である中央の略Ｘ字状部分９のうち左右上２つの上肢部分１１に各々設けられる肩前係止具１５と、略Ｘ字状部分９のうち左右下２つの下肢部分１３に各々設けられる脇後係止具１７とに係止される吊下げベルト１９を介して担架等重量物を吊下げるので、両肩とも、肩の前後に分けて重量を支持することになり、よって、搬送者３の身体の前後のバランスがとれ、搬送作業が安定し、身体への片当たりによる痛みを伴わず、大きな重量を補助できる。
【００２６】
さらに、中央背当パッド２１やパッドベルト２３によって、器具１の身体への接触を和らげることができ、より搬送作業が安定し大きな重量を補助できる。
また、脇下調整ベルト２５の長さを調整することで、器具１の略横８の字形状がぴったりと身体にフィットし、より搬送作業が安定し大きな重量を補助できる。
さらに、肩前係止具１５は、上肢部分１１から分岐する肩前ベルト３３の先端に係止金具が設けられて構成されるので、搬送中に担架等重量物と搬送者３との位置関係がずれても、肩前ベルト３３が首振りの動きをして、ずれを吸収する。よって、より搬送作業が安定する。
【００２７】
このとき、肩前ベルト３３が首振りの動きは、上肢部分１１を構成するパットベルトの上で行なわれるので、搬送者３の身体に触れにくく、痛みを伴わない。
また、脇後係止具１７は、下肢部分１３から一体的に延長される脇後ベルト３７の先端に係止金具が設けられて構成されるので、下肢部分１３と脇後ベルト３７とを別体にする場合に比べ、器具１の形状を単純化できる。
【００２８】
また、吊下げベルト１９は、肩前係止具及び脇後係止具１７に両端が係止されて、担架５に形成されている係止孔４７を通すことで、略１本の構成にできる。よって、仮に肩前係止具及に係止される吊下げベルト１９と脇後係止具１７に係止される吊下げベルト１９との２本の構成にする場合に比べ、器具１の形状を単純化できる。
【００２９】
また、略Ｘ字状部分９の左右のそれぞれにおいてループ形状４９を完成し、これにより略横８の字形状と同心の大形略横８の字形状５１をなすことにより、器具１を介して身体へ働く力のバランスをうまくとることができる。
また、吊下げベルト１９は、担架等重量物に形成されている係止孔４７を通っていて、係止孔４７に固定されていないので、搬送中に担架５と搬送者３との位置関係がずれても、吊下げベルト１９が係止孔４７を滑ることで、ずれを容易に吸収する。
【００３０】
「他の実施形態」
以上の実施形態では、搬送するのは負傷者などを載せた担架５であったが、他の実施形態では、担架５以外の重量物でも良い。また、搬送者１人で、重量物を搬送することも可能である。
【符号の説明】
【００３１】
１…器具、３…搬送者、５…担架、７…たすき状部分、９…略Ｘ字状部分、１１…上肢部分、１３…下肢部分、１５…肩前係止具、１７…脇後係止具、１９…吊下げベルト、２１…中央背当パッド、２３…パッドベルト、２５…脇下調整ベルト、２７…差込みバックル、２９…雄側、３１…雌側、３３…肩前ベルト、３５…Ｄカン、３７…脇後ベルト、３９…ナスカン、４１…移動カン、４３…取手部分、４５…閉形状部分、４７…係止孔、４９…ループ形状、５１…大形略横８の字形状、Ｍ・・被搬送者。
【図１】
2011255014.tif 000003
【図２】
2011255014.tif 000004
【図３】
2011255014.tif 000005
【図４】
2011255014.tif 000006
【図５】
2011255014.tif 000007
【図６】
2011255014.tif 000008
【図７】
2011255014.tif 000009
【図８】
2011255014.tif 000010
【図９】
2011255014.tif 000011
【図１０】
2011255014.tif 000012
【手続補正書】
【提出日】平成22年10月30日(2010.10.30)
【手続補正１】
【補正対象書類名】明細書
【補正対象項目名】全文
【補正方法】変更
【補正の内容】
【発明の詳細な説明】
【技術分野】
【０００１】
この発明は、担架を搬送者が搬送する際に、搬送が容易なように、搬送を補助する器具に関する。
【背景技術】
【０００２】
担架を搬送者が搬送する際には、通常は、搬送者が自身の二本の腕だけで担架の重量を支えるので、搬送作業は困難である。特に、救急の現場では、いろいろな特殊な環境で搬送作業を行なわなければならず、困難さは極まる。
下記特許文献１では、このような担架の搬送が容易なように、搬送を補助する器具が提案される。
【先行技術文献】
【特許文献】
【０００３】
【特許文献１】特開２００２−０９５７０１
【発明の概要】
【発明が解決しようとする課題】
【０００４】
しかしながら、上記特許文献１では、担架の重量を、搬送者の片方の肩から他方の腰まで斜めたすき状に配したベルトによって、支えるために、搬送作業が安定せず、また大きな重量を補助できない。
この発明は、以上の問題点を解決するために、搬送作業が安定し、また大きな重量を補助できる担架搬送補助器具を提供することを目的とする。
【課題を解決するための手段】
【０００５】
以上の課題を解決するために、第一発明は、横８の字形状を有するたすき状部分と、前記横８の字形状の一部である中央のＸ字状部分のうち左右上２つの上肢部分に各々設けられる肩前係止具と、前記Ｘ字状部分のうち左右下２つの下肢部分に各々設けられる脇後係止具と、前記肩前係止具及び脇後係止具に係止されて担架を吊下げる吊下げベルトと、を有することを特徴とする担架搬送補助器具である。
第二発明は、さらに、前記Ｘ字状部分の中央に設けられて身体への接触を和らげる中央背当パッドと、前記Ｘ字状部分を構成して身体への接触を和らげるパッドベルトと、前記横８の字形状のうち前記Ｘ字状部分を除いた部分を構成して長さを調整できる脇下調整ベルトと、を有することを特徴とする担架搬送補助器具である。
第三発明は、さらに、前記肩前係止具は、前記上肢部分から分岐する肩前ベルトの先端に係止金具が設けられて構成され、前記脇後係止具は、前記下肢部分から一体的に延長される脇後ベルトの先端に係止金具が設けられて構成され、前記吊下げベルトは、前記肩前係止具及び脇後係止具に両端が係止されて、担架に形成されている係止孔を通り、よって前記Ｘ字状部分の左右のそれぞれにおいてループ形状を完成し、これにより前記横８の字形状と同心の大形横８の字形状をなすことを特徴とする担架搬送補助器具である。
【発明の効果】
【０００６】
第一、第二、又は第三発明によれば、横８の字形状を有するたすき状部分によって重量支持を補助するので、上記特許文献１のような斜めたすき状に配したベルトによって重量支持を補助する場合に比べ、左右のバランスがとれ、搬送作業が安定する。また、併せて重量が両肩に均等にかかるので、大きな重量を補助できる。
【０００７】
さらに、横８の字形状の一部である中央のＸ字状部分のうち左右上２つの上肢部分に各々設けられる肩前係止具と、Ｘ字状部分のうち左右下２つの下肢部分に各々設けられる脇後係止具とに係止されて担架を吊下げるので、両肩とも、肩の前後に分けて重量を支持するので、前後のバランスがとれ、搬送作業が安定し、身体に痛みを伴わずに大きな重量を補助できる。
【０００８】
第二、又は第三発明によれば、さらに、中央背当パッドやパッドベルトによって、器具の身体への接触を和らげることができ、より搬送作業が安定し大きな重量を補助できる。  また、脇下調整ベルトの長さを調整することで、器具の横８の字形状がぴったりと身体にフィットし、より搬送作業が安定し大きな重量を補助できる。
【０００９】
第三発明によれば、さらに、肩前係止具は、上肢部分から分岐する肩前ベルトの先端に係止金具が設けられて構成されるので、搬送中に担架と搬送者との位置関係がずれても、肩前ベルトが首振りの動きをして、ずれを吸収する。よって、より搬送作業が安定する。
【００１０】
また、脇後係止具は、下肢部分から一体的に延長される脇後ベルトの先端に係止金具が設けられて構成されるので、下肢部分と脇後ベルトとを別体にする場合に比べ、器具の形状を単純化できる。
【００１１】
また、吊下げベルトは、肩前係止具及び脇後係止具に両端が係止されている。そして、その中央部は担架に形成されている係止孔を通る。よって前記Ｘ字状部分の左右のそれぞれにおいてループ形状を完成する。これにより器具１本体の横８の字形状と同心の大形横８の字形状をなすことになる。また、係止孔に固定せず、係止孔を通るので、１本の構成にできる。よって、仮に肩前係止具及に係止される吊下げベルトと脇後係止具に係止される吊下げベルトとの２本の構成にする場合に比べ、器具の形状を単純化できる。
【００１２】
また、吊下げベルトは、担架に形成されている係止孔を通っていて、固定されていないので、搬送中に担架と搬送者との位置関係がずれても、係止孔を滑ることで、ずれを吸収する。
【図面の簡単な説明】
【００１３】
【図１】この発明の一実施形態にかかる担架搬送補助器具を後から見た図である。
【図２】図１の器具の上肢部分と脇下調整ベルトとを係止した状態で前から見た図である。
【図３】図１の器具を搬送者が身体に装着しようとしている状態を後から見た図である。
【図４】図３の装着を終えた状態の図である。
【図５】図４の装着を終え脇下調整ベルトの長さを短くして器具を身体にフィットさせている状態の図である。
【図６】（ａ）図５で器具を身体にフィットさせた後に、上肢部分と脇下調整ベルトとの係止を解除した状態を斜め前から見た図、（ｂ）図５で器具を身体にフィットさせた後に、吊下げベルトを係止した状態を斜め前から見た図である。
【図７】図６（ｂ）の吊下げベルトを担架の係止孔へ通す作業をしている状態を斜め前から見た図である。
【図８】図７の作業を終えた状態を斜め前から見た図である。
【図９】図８の作業を左右の吊下げベルトで終え、両吊下げベルトの長さを短く調整している状態を斜め前から見た図である。
【図１０】図９の調整を終え、搬送者が立ち上がって、器具により担架を吊下げている状態を斜め前から見た図である。
【発明を実施するための形態】
【００１４】
この発明の一実施形態にかかる担架搬送補助器具を、図１から図１０に示す。
この担架搬送補助器具１は、左右対称の形状を有し、たすきのように、搬送者３が両腕を通し、背負って装着する（図３，図４）。この実施形態では被搬送者Ｍを載せた担架５の搬送を行なう（図１０）ので、担架５の両端に２人の搬送者３が必要であり、よって２つの器具１が用いられる。
【００１５】
図１，図２に示すように、この器具１の中心的で重要な部分は、横８の字形状を有するたすき状部分７（図２中の一点鎖線）である。この部分７に、搬送者３は、両腕を通す（図３、図４）。この横８の字形状の一部である中央の部分は、Ｘ字状部分９となっている。このＸ字状部分９は、左右上２つの上肢部分１１と、左右下２つの下肢部分１３とを有する。
【００１６】
２つの上肢部分１１には、各々、搬送者３の肩部の前に位置するための肩前係止具１５が設けられる。２つの下肢部分１３には、各々、搬送者３の背中から脇の後へ位置するための脇後係止具１７が設けられる。そして、肩前係止具１５及び脇後係止具１７に係止される吊下げベルト１９が、担架５（図７〜図１０参照）を吊下げる。
Ｘ字状部分９の中央に、クッションの入った丸い中央背当パッド２１が設けられて、身体への接触を和らげる。また、Ｘ字状部分９を、クッションの入ったパッドベルト２３によって構成し、身体への接触を和らげる。
【００１７】
横８の字形状のうちＸ字状部分９を除いた部分を、脇下調整ベルト２５が構成して、長さを調整する。
すなわち、脇下調整ベルト２５は、一端が下肢部分１３から分岐し、他端に差込みバックル２７と呼ばれる留め具の雄側２９が設けられる。他方、上肢部分１１の先端には、対応して、差込みバックル２７と呼ばれる留め具の雌側３１が設けられる。この差込みバックル２７により、器具１の装着が容易に行なわれる。装着を外すことも容易である（図６（ａ））。また、脇下調整ベルト２５は差込みバックル２７の雄側２９で容易に長さを調整できる（図５）。
【００１８】
肩前係止具１５は、上肢部分１１から分岐する肩前ベルト３３の先端に、Ｄカン３５と呼ばれる係止金具が設けられて構成される。
脇後係止具１７は、下肢部分１３から一体的に延長される脇後ベルト３７の先端に、Ｄカン３５と呼ばれる係止金具が設けられて構成される。
【００１９】
吊下げベルト１９は、略一本のベルト１９であり、肩前係止具及び脇後係止具１７のそれぞれＤカン３５と呼ばれる係止金具に対して、両端に設けられるナスカン３９と呼ばれる係止金具が、係止される（図２，図６（ｂ））。吊下げベルト１９は、略一本のベルト１９であるものの、途中には、移動カン４１と呼ばれる係止金具が設けられ長さが調節できる（図９）。
【００２０】
また、担架５に形成されている取手部分４３の閉形状部分４５を係止孔４７として、この係止孔４７を吊下げベルト１９が通る（図７、図８）。
よってＸ字状部分９の左右のそれぞれにおいてループ形状４９を完成する。このループ形状４９の完成により、横８の字形状と同心の大形横８の字形状５１をなす。この大きなループの部分により、担架５を吊下げる（図１０）。
【００２１】
「使用方法」
この実施形態にかかる担架搬送補助器具１の装着・使用方法を説明する。
まず、図１に示す器具１を、図２に示すように、器具１の上肢部分１１と脇下調整ベルト２５とを差込みバックル２７によって係止した状態にして、横８の字形状を有するたすき状部分７を作り、準備する。
【００２２】
そして、図３に示すように、横８の字形状を有するたすき状部分７に、搬送者３は、両腕を通し、装着する（図４）。その後、図５のように、脇下調整ベルト２５の長さを短くして器具１を身体にフィットさせる。なお、一度、器具１を身体にフィットさせた後であっても、図６（ａ）に示すように、上肢部分１１と脇下調整ベルト２５との係止を差込みバックル２７によって解除することで、器具１の装着を簡単に外すことができ、また、再び上肢部分１１と脇下調整ベルト２５との係止を行なえば、器具１を身体にフィットさせる調整は無駄にならない。
【００２３】
その後に、図６（ｂ）に示すように、器具１に吊下げベルト１９を係止する。吊下げベルト１９を担架５の係止孔４７へ通して係止し吊下げを行なうときには、その前に、例えば地面に置かれた担架５の近くに搬送者３はしゃがみ、吊下げベルト１９の他方を担架５の係止孔４７へ通し（図７）、その後に、この他方の係止を行なう（図８）。図９に示すように、これらの作業を左右の吊下げベルト１９で終え、両吊下げベルト１９の長さを短く調整する。調整を終えた後に、図１０に示すように、２人の搬送者３は立ち上がり、器具１により担架５を吊下げ、被搬送者Ｍを搬送する。
【００２４】
「実施形態の効果」
この実施形態の器具１によれば、横８の字形状を有するたすき状部分７によって担架５の被搬送者Ｍを含む重量の支持を補助する。このため、上記特許文献１のような斜めたすき状に配したベルト１９によって重量支持を補助する場合に比べ、左右のバランスがとれ、搬送作業が安定する。また、併せて被搬送者Ｍの重量が両肩に均等にかかるので、大きな重量を補助できる。
【００２５】
さらに、横８の字形状の一部である中央のＸ字状部分９のうち左右上２つの上肢部分１１に各々設けられる肩前係止具１５と、Ｘ字状部分９のうち左右下２つの下肢部分１３に各々設けられる脇後係止具１７とに係止される吊下げベルト１９を介して担架を吊下げるので、両肩とも、肩の前後に分けて重量を支持することになり、よって、搬送者３の身体の前後のバランスがとれ、搬送作業が安定し、身体への片当たりによる痛みを伴わず、大きな重量を補助できる。
【００２６】
さらに、中央背当パッド２１やパッドベルト２３によって、器具１の身体への接触を和らげることができ、より搬送作業が安定し大きな重量を補助できる。
また、脇下調整ベルト２５の長さを調整することで、器具１の横８の字形状がぴったりと身体にフィットし、より搬送作業が安定し大きな重量を補助できる。
さらに、肩前係止具１５は、上肢部分１１から分岐する肩前ベルト３３の先端に係止金具が設けられて構成されるので、搬送中に担架と搬送者３との位置関係がずれても、肩前ベルト３３が首振りの動きをして、ずれを吸収する。よって、より搬送作業が安定する。
【００２７】
このとき、肩前ベルト３３が首振りの動きは、上肢部分１１を構成するパットベルトの上で行なわれるので、搬送者３の身体に触れにくく、痛みを伴わない。
また、脇後係止具１７は、下肢部分１３から一体的に延長される脇後ベルト３７の先端に係止金具が設けられて構成されるので、下肢部分１３と脇後ベルト３７とを別体にする場合に比べ、器具１の形状を単純化できる。
【００２８】
また、吊下げベルト１９は、肩前係止具及び脇後係止具１７に両端が係止されて、担架５に形成されている係止孔４７を通すことで、略１本の構成にできる。よって、仮に肩前係止具及に係止される吊下げベルト１９と脇後係止具１７に係止される吊下げベルト１９との２本の構成にする場合に比べ、器具１の形状を単純化できる。
【００２９】
また、Ｘ字状部分９の左右のそれぞれにおいてループ形状４９を完成し、これにより横８の字形状と同心の大形横８の字形状５１をなすことにより、器具１を介して身体へ働く力のバランスをうまくとることができる。
また、吊下げベルト１９は、担架に形成されている係止孔４７を通っていて、係止孔４７に固定されていないので、搬送中に担架５と搬送者３との位置関係がずれても、吊下げベルト１９が係止孔４７を滑ることで、ずれを容易に吸収する。
【００３０】
「他の実施形態」
【符号の説明】
【００３１】
１…器具、３…搬送者、５…担架、７…たすき状部分、９…Ｘ字状部分、１１…上肢部分、１３…下肢部分、１５…肩前係止具、１７…脇後係止具、１９…吊下げベルト、２１…中央背当パッド、２３…パッドベルト、２５…脇下調整ベルト、２７…差込みバックル、２９…雄側、３１…雌側、３３…肩前ベルト、３５…Ｄカン、３７…脇後ベルト、３９…ナスカン、４１…移動カン、４３…取手部分、４５…閉形状部分、４７…係止孔、４９…ループ形状、５１…大形横８の字形状、Ｍ・・被搬送者。
【手続補正２】
【補正対象書類名】特許請求の範囲
【補正対象項目名】全文
【補正方法】変更
【補正の内容】
【特許請求の範囲】
【請求項１】
横８の字形状を有するたすき状部分と、前記横８の字形状の一部である中央のＸ字状部分のうち左右上２つの上肢部分に各々設けられる肩前係止具と、前記Ｘ字状部分のうち左右下２つの下肢部分に各々設けられる脇後係止具と、前記肩前係止具及び脇後係止具に係止されて担架を吊下げる吊下げベルトと、を有することを特徴とする担架搬送補助器具。
【請求項２】
前記Ｘ字状部分の中央に設けられて身体への接触を和らげる中央背当パッドと、前記Ｘ字状部分を構成して身体への接触を和らげるパッドベルトと、前記横８の字形状のうち前記Ｘ字状部分を除いた部分を構成して長さを調整できる脇下調整ベルトと、を有することを特徴とする請求項１に記載の担架搬送補助器具。
【請求項３】
前記肩前係止具は、前記上肢部分から分岐する肩前ベルトの先端に係止金具が設けられて構成され、前記脇後係止具は、前記下肢部分から一体的に延長される脇後ベルトの先端に係止金具が設けられて構成され、前記吊下げベルトは、前記肩前係止具及び脇後係止具に両端が係止されて、担架に形成されている係止孔を通り、よって前記Ｘ字状部分の左右のそれぞれにおいてループ形状を完成し、これにより前記横８の字形状と同心の大形横８の字形状をなすことを特徴とする請求項１、または２に記載の担架搬送補助器具。